(57)【要約】      （修正有）【課題】物品を載置可能な棚を有する什器本体の棚の下方または上方の領域に簡単に後付け可能で、複数の態様で使用できるフレキシブルな物品載置棚を提供する。【解決手段】物品を載置可能な棚７３を有する什器本体の支柱７２に設けられた棚７３支持用のフック孔７２１にオプションユニット１の左右一対のブラケット２と、左右のブラケット２に架け渡した横部材と補助棚５を支持させ、補助棚５に商品８を載置する。また、横架材にはフック状の補助配置部材６設ける。【選択図】図１
2018027246.tif 000002
【特許請求の範囲】
【請求項１】
棚に設けたフック爪を支柱に形成したフック孔に係合させることで商品を陳列するための棚を支柱に支持させる態様の陳列用什器に後付けすることが可能なオプションユニットであって、
前記陳列用什器の支柱のフック孔に係合させるフック爪を有し、そのフック爪を前記フック孔に係合させることで陳列用什器の支柱に支持させることができ、当該支柱に支持させた状態で支柱の上端部よりも上方に伸長するブラケットと、
前記ブラケットに支持させることができ、前記陳列用什器の支柱の上端部よりも上方の領域に商品を載置可能な補助棚と、
前記ブラケットに支持させることができ、前記補助棚よりも下方の領域に商品を配置可能な補助配置部材と
を具備するオプションユニット。
【請求項２】
前記補助配置部材が前記ブラケットに対して着脱可能である請求項１記載のオプションユニット。
【請求項３】
前記ブラケットは左右に対をなし、各ブラケットを前記陳列用什器における左右に対をなす支柱にそれぞれ支持させることができ、
前記補助棚の左右の側部を左右のブラケットにそれぞれ支持させ、
かつ、左右のブラケットに横架材を架け渡し、その横架材の左右の側部を各ブラケットにそれぞれ固着している請求項１または２記載のオプションユニット。
【請求項４】
前記ブラケットは左右に対をなし、各ブラケットを前記陳列用什器における左右に対をなす支柱にそれぞれ支持させることができ、
前記補助棚の左右の側部を左右のブラケットにそれぞれ支持させ、
かつ、それら左右のブラケットに横架材を架け渡し、その横架材の左右の側部の各々に設けたフック爪を、左右のブラケットの各々に形成したフック孔にそれぞれ係合させることで、横架材の両側部を各ブラケットに着脱可能に支持させ、当該横架材に前記補助配置部材を支持させる請求項１、２または３記載のオプションユニット。
【発明の詳細な説明】
【技術分野】
【０００１】
本発明は、商品を陳列するための陳列用什器に後付けすることが可能なオプションユニットに関する。
【背景技術】
【０００２】
小売店舗等に配置される、種々の商品を陳列できる陳列用什器が公知である（例えば、下記先行技術文献を参照）。典型的な陳列用什器は、ベースと、ベースから起立し左右に対をなす支柱と、それら支柱に支持させる棚とを主たる要素とする。棚は、支柱に対して着脱可能となっている。支柱には上下方向に沿って間欠的に多数のフック孔を開設しており、棚受に形成したフック爪を何れかのフック孔に係合させることで棚受を左右の支柱にそれぞれ取り付け、それら棚受に棚板の両側部を載置することにより、商品を陳列するための棚を設営する。棚は、支柱の上下寸法の範囲内で、任意の高さ位置に、任意の段数設けることができる。
【０００３】
一般に、店舗では商品在庫をバックヤードに保管しており、店内に陳列している商品が売れて少なくなると、バックヤードから店内に在庫の商品を運び入れて陳列用什器に陳列する補充作業を行う。このような補充作業を、商品が売れる都度繰り返すことは煩瑣であり、徒に労力を費やすことになる。また、店舗によっては、バックヤードが手狭であり、多量の在庫を保管することが難しい場合もある。故に、バックヤードだけでなく、店内にもある程度以上の量の在庫を置いておきたいという要望がある。
【０００４】
店内に配置している陳列用什器の上方の領域、即ち顧客の目に付きにくく手の届きにくい高さの領域は、デッドスペースとなっている。このスペースに在庫の商品を置くことができれば、商品が売れる度にバックヤードと店内との間を往復する煩わしさが解消され、商品の在庫量を実効的に増大させることも可能となる。
【０００５】
既存の陳列用什器の上方の領域に商品を保管できるようにするためには、当該什器の支柱にジョイントを継ぎ足して支柱を上方に延長し、ジョイントに追加の棚を支持させることが考えられる。陳列用什器の支柱は中空のパイプ材であることが通例であり、その支柱の上端部に下端部を挿入するテレスコープ状のジョイントを作製すれば、ジョイントにより支柱の上下寸法を延長でき、上記の要望が実現される。
【０００６】
しかしながら、テレスコープ構造を採用する場合には、荷重を受けるジョイントが支柱内に沈下したり、あるいはジョイントが支柱の上端部から脱落したりしないように、ジョイントを支柱に対して強固に組み付ける施工を行う必要が生じる。そのような施工作業は、専門的な技能を持つ者が行わなければならない。
【先行技術文献】
【特許文献】
【０００７】
【特許文献１】特開２０１６−１３１８５３号公報
【非特許文献】
【０００８】
【非特許文献１】“店舗スタンダード什器”，コクヨ総合カタログ２０１６年版ファニチャー編，コクヨ株式会社，平成２７年１２月，ｐ．８４６−８４７
【発明の概要】
【発明が解決しようとする課題】
【０００９】
本発明は、既存の陳列用什器に簡便に後付けでき、当該陳列用什器の上方の領域に商品を保管することを可能にするオプションユニットを提供しようとするものである。
【課題を解決するための手段】
【００１０】
上述した課題を解決するべく、本発明では、棚に設けたフック爪を支柱に形成したフック孔に係合させることで商品を陳列するための棚を支柱に支持させる態様の陳列用什器に後付けすることが可能なオプションユニットであって、前記陳列用什器の支柱のフック孔に係合させるフック爪を有し、そのフック爪を前記フック孔に係合させることで陳列用什器の支柱に支持させることができ、当該支柱に支持させた状態で支柱の上端部よりも上方に伸長するブラケットと、前記ブラケットに支持させることができ、前記陳列用什器の支柱の上端部よりも上方の領域に商品を載置可能な補助棚と、前記ブラケットに支持させることができ、前記補助棚よりも下方の領域に商品を配置可能な補助配置部材とを具備するオプションユニットを構成した。
【００１１】
前記補助配置部材が前記ブラケットに対して着脱可能であるならば、不要な場合に補助配置部材を撤去して補助棚のみを使用することができる。
【００１２】
前記ブラケットが左右に対をなし、各ブラケットを前記陳列用什器における左右に対をなす支柱にそれぞれ支持させることができ、前記補助棚の左右の側部を左右のブラケットにそれぞれ支持させる場合、左右のブラケットに横架材を架け渡し、その横架材の左右の側部を各ブラケットにそれぞれ固着すること好ましい。さすれば、横架材により、オプションユニットの剛性を高めて捻れを抑制することができる。
【００１３】
また、前記ブラケットが左右に対をなし、各ブラケットを前記陳列用什器における左右に対をなす支柱にそれぞれ支持させることができ、前記補助棚の左右の側部を左右のブラケットにそれぞれ支持させる場合に、それら左右のブラケットに横架材を架け渡し、その横架材の左右の側部の各々に設けたフック爪を、左右のブラケットの各々に形成したフック孔にそれぞれ係合させることで、横架材の両側部を各ブラケットに着脱可能に支持させ、当該横架材に前記補助配置部材を支持させるようにすれば、左右方向に沿って伸長する横架材の任意の箇所に前記補助配置部材を配置することが可能となる。加えて、当該横架材をブラケットから取り外すことで、横架材及び補助配置部材をオプションユニットから撤去できるようになる。
【発明の効果】
【００１４】
本発明によれば、既存の陳列用什器に簡便に後付けでき、当該陳列用什器の上方の領域に商品を保管することを可能にするオプションユニットが実現される。
【図面の簡単な説明】
【００１５】
【図１】本発明の一実施形態のオプションユニットを既存の陳列用什器に取り付けた状態を示す斜視図。
【図２】同実施形態のオプションユニットの分解斜視図。
【図３】同実施形態のオプションユニットの正面図。
【図４】同実施形態のオプションユニットの側面図。
【図５】同実施形態のオプションユニットの側断面図。
【図６】同実施形態のオプションユニットの側断面図。
【発明を実施するための形態】
【００１６】
本発明の一実施形態を、図面を参照して説明する。本実施形態のオプションユニット１は、商品８、９を支持するための補助棚５及び補助配置部材６を有し、図１に示すように既製の陳列用什器７に後付けすることで、当該陳列用什器７の上方の領域に商品８、９を配置することを可能とするものである。
【００１７】
陳列用什器７は、既知のそれと同様の構成を有している。概要を述べると、陳列用什器７は、ベース７１と、ベース７１に固定しておりベース７１から立ち上がる支柱７２と、支柱７２に支持させる棚７３とを具備しており、その棚７３に商品８を載置して陳列することができる。
【００１８】
支柱７２は、角パイプ状をなし、上下方向に沿って伸長している。支柱７２は、左右一対存在し、その各々の前向面に多数のフック孔７２１を上下方向に沿って間欠的に穿ち設けている。
【００１９】
棚７３は、商品８を載置するための棚板７３１と、支柱７２に取り付けられて棚板７３１を支持する棚受７３２とからなる。棚受７３２は前後方向に延伸しており、その後縁に後方に突出したフック爪７３３を複数、上下方向に沿って間欠的に形成してある。そして、それら複数のフック爪７３３を支柱７２の前向面に開設した複数のフック孔７２１に挿入して係合させることにより、棚受７３２を支柱７２に取り付けて支持させることができる。左右一対の棚受７３２は、左右の支柱７２にそれぞれ、同じ高さ位置に設置する。その上で、棚板７３１の左右両側部を、左右の棚受７３２にそれぞれ載置して支持させる。棚７３は、支柱７２の上下寸法の範囲内で、任意の高さ位置に、任意の段数設けることができる。
【００２０】
図１ないし図６に示すように、本実施形態のオプションユニット１は、既存の陳列用什器７に取り付ける左右一対のブラケット２と、左右のブラケット２に架け渡した横架材３、４と、ブラケット２に支持させる補助棚５と、横架材４に支持させる補助配置部材６とを具備する。補助棚５には、補充用の在庫である商品８を載置することができる。また、補助配置部材６には、顧客に向けて陳列または展示する販売用の商品９を支持させることができる。
【００２１】
ブラケット２は、上下方向に沿って延伸する起立部２１の上端部から前方に向けて棚受部２２を進出させた、側面視略Ｌ字形をなす部材である。ブラケット２は、例えば板金材をプレス成形及びレーザ加工することで作製する。ブラケット２の起立部２１及び棚受部２２は、左右方向の厚みが比較的薄い板状をなしている。起立部２１には、ブラケット２の剛性を高めるためのエンボス２１１加工を施している。起立部２１の下端部における後縁には、後方に突出したフック爪２１２を複数、上下方向に沿って間欠的に形成してある。これらフック爪２１２は、既製の陳列用什器７の棚受７３２のフック爪７３３と同等の寸法及び形状を有している。従って、これらフック爪２１２を支柱７２の前向面に開設した複数のフック孔７２１に挿入して係合させることにより、ブラケット２を既製の陳列用什器７の支柱７２に取り付けて支持させることができる。
【００２２】
本実施形態のオプションユニット１には、左右のブラケット２に固着する横架材３と、左右のブラケット２に対して着脱可能な横架材４とが存在する。前者の横架材３は、丸パイプ状をなし、左右方向に沿って伸長している。この横架材３の左右両端部における内周には、雌ねじを切ってある。換言すれば、横架材３の左右の端部がそれぞれナットとなっている。他方、ブラケット２の起立部２１における、フック爪７３３の存在する下端部よりもやや上方の位置に、貫通したビス挿通孔２１３を穿っている。このビス挿通孔２１３の内径は、横架材３の外径よりも小さく、横架材３の内径に略一致する。横架材３をブラケット２に固定するにあたっては、側面視横架材３の内周とビス挿通孔２１３とが重なり合うように横架材３を位置づけながら、横架材３の側端面をブラケット２の内側面に突き当てる。その状態で、雄ねじを切ってあるビス２３の軸部を、ブラケット２の外側方からビス挿通孔２１３に挿入し、横架材２１３の内周の雌ねじに螺合させる。最終的に、ビス２３の頭部が、ブラケット２の外側面に密接する。これにより、横架材３とブラケット２とを緊締し結合することができる。ひいては、左右一対のブラケット２が横架材３を介して連結され一体化する。
【００２３】
後者の横架材４は、角パイプ状をなし、左右方向に沿って伸長する。横架材４の左右両端部にはそれぞれ、取付板４１を接合している。取付板４１は前後方向に拡張しており、その後縁には後方に突出したフック爪４１１を複数、上下方向に沿って間欠的に形成してある。他方、ブラケット２の起立部２１には、フック爪７３３の存在する下端部の直上の部位の後端部を内側方に屈曲させることにより、前後方向を向いた被取付板２４を形成している。この被取付板２４には、取付板４１のフック爪４１１の個数よりも多い複数のフック孔２４１を、上下方向に沿って間欠的に穿ち設けている。そして、取付板４１の複数のフック爪４１１を被取付板２４に開設した複数のフック孔２４１に挿入して係合させることにより、横架材４をブラケット２に取り付けて支持させることができる。
【００２４】
補助棚５は、その左右両側部を、陳列用什器７の支柱７２に取り付けた左右のブラケット２の棚受部２２にそれぞれ載置して支持させる。なお、図示例の補助棚５は板棚（板金製のものの他、木棚やガラス棚等であることがある）であるが、補助棚５は網棚であってもよいし、複数本の棒材を隙間を隔てて配列した態様のものであってもよい。あるいは、
補助配置部材６は、商品９を支持する機能を具現する本体部６１と、本体部６１に一体に設けられ横架材４と係合する取付部６２とを備える。図示例の補助配置部材６は、フック部材である。このフック部材６の本体部６１は、棒材を側面視略コ字形をなすように折曲加工したもので、上下に離間して前後方向に伸びる二本のバー６１１、６１２がそれらの後端部で相互に連結した形状をなす。下方のバー６１１は、商品９若しくはその包装に穿たれている孔に挿通し、または商品９若しくはその包装に設けられたハンガーを引っ掛けることで、当該商品９を吊すことができるものである。下方のバー６１１の前端部は、斜め上方に向けて屈折している。翻って、上方のバー６１２の前端部には、商品９の名称や種別、価格等を表示する紙片またはプレートを保持するためのプレートホルダ６１３を装着している。上方のバー６１２の前後方向に沿った長さは、下方のバー６１１の前後方向に沿った長さよりもやや短い。
【００２５】
フック部材６の取付部６２は、本体部６１の後端部近傍に所在する。この取付部６２は、前壁６２１と、前壁６２１の後方に控える後壁６２２と、前壁６２１及び後壁６２２の上端部同士を連接する頂壁６２３とを有し、側面視下方に開放したチャネル状をなす。取付部６２の前後方向に沿った内寸、即ち前壁６２１と後壁６２２との離間距離は、角パイプ状の横架材４の前後寸法に略等しい。また、取付部６２の前壁６２１の上下寸法は、横架材４の上下寸法に略等しい。これに対し、取付部６２の後壁６２２の上下寸法は、前壁６２１及び横架材４の上下寸法よりも小さい。
【００２６】
補助配置部材たるフック部材６を横架材４に支持させるにあたっては、フック部材６の取付部６２を上方から横架材４に被せる、即ち取付部６２に横架材４をくわえ込ませるようにして横架材４に取り付ける。このとき、取付部６２の前壁６２１が横架材４の前向面に当接し、後壁６２２が横架材４の後向面に当接し、頂壁６２３が横架材４の上向面に当接する。結果、取付部６２を介してフック部材６を横架材４に安定的に支持させることができる。
【００２７】
なお、補助配置部材６（の本体部６１）の具体的な形状及び機能は、上掲のフック部材には限定されない。補助配置部材６は、例えばワイヤラック等であっても構わない。ワイヤラックの本体部は、所要の形状に折曲加工した複数本の棒材または線材を溶接等により接合して、商品を載置し得る棚状の構造体としたものである。通常、ワイヤラックの本体部の左右方向に沿った幅寸法は、フック部材６の本体部６１のそれよりも大きくなる。従って、ワイヤラックの取付部は、その本体部の左右方向に沿って複数設けるか、左右方向に大きく拡張したものとすることが好ましい。
【００２８】
既に述べた通り、オプションユニット１を陳列用什器７の上方に配設するためには、ブラケット２のフック爪２１２を支柱７２の上端部のフック孔７２１に係合させ、以て当該ブラケット２を支柱７２の上端部に支持させる。オプションユニット１のブラケット２を支柱７２の上端部に取り付けたとき、その起立部２１は支柱７２の上端よりも上方に伸長する。同時に、補助棚５を支持する棚受部２２や、補助配置部材６を支持する横架材４もまた、支柱７２の上端よりも上方に位置づけられる。
【００２９】
本実施形態では、棚７３に設けたフック爪７３３を支柱７２に形成したフック孔７２１に係合させることで商品８を陳列するための棚７３を支柱７２に支持させる態様の陳列用什器７に後付けすることが可能なオプションユニット１であって、前記陳列用什器７の支柱７２のフック孔７２１に係合させるフック爪２１２を有し、そのフック爪２１２を前記フック孔７２１に係合させることで陳列用什器７の支柱７２に支持させることができ、当該支柱７２に支持させた状態で支柱７２の上端部よりも上方に伸長するブラケット２と、前記ブラケット２に支持させることができ、前記陳列用什器７の支柱７２の上端部よりも上方の領域に商品８を載置可能な補助棚５と、前記ブラケット２に支持させることができ、前記補助棚５よりも下方の領域に商品９を配置可能な補助配置部材６とを具備するオプションユニット１を構成した。
【００３０】
本実施形態によれば、専門技能を有した施工者の手によらずとも、ブラケット２のフック爪２１２を支柱７２のフック孔７２１に係合させることで、簡便にオプションユニット１を既存の陳列用什器７に後付けすることができる。そして、従来はデッドスペースとなっていた、店内における既設の陳列用什器７の上方の領域を、商品８、９の保管場所として有効に活用することが可能となる。
【００３１】
オプションユニット１の最上位にある補助棚５は、顧客の目に付きにくく手の届きにくい高さに位置しており、陳列用什器７に陳列した商品８が売れたときの補充用の在庫を保管するのにふさわしい。
【００３２】
陳列用什器７における最上段の棚７３よりも上方、かつオプションユニット１の補助棚５よりも下方に位置する補助配置部材６は、顧客に向けて販売する商品９を陳列しまたは展示するために利用することができるし、補充用の在庫を配置するために利用することもできる。補助配置部材たるフック部材６の前端は、補助棚５の前端よりもやや後方に退避している。
【００３３】
陳列用什器７の支柱７２には、予め複数のフック孔７２１が上下方向に沿って間欠的に設けられている。従って、フック爪２１２を係合させるフック孔７２１を変更することを通じて、ブラケット２の取り付け高さ位置を上下させることができる。ひいては、オプションユニット１、補助棚５及び補助配置部材６の高さ位置を任意に調整することができる。
【００３４】
前記補助配置部材６は、前記ブラケット２に対して着脱可能である。即ち、補助配置部材６を横架材４から取り外すことができ、横架材４自体をブラケット２から取り外すこともできる。不要な場合には、補助配置部材６や横架材４をオプションユニット１から撤去することが可能である。
【００３５】
前記ブラケット２が左右に対をなし、各ブラケット２を前記陳列用什器７における左右に対をなす支柱７２にそれぞれ支持させることができ、前記補助棚５の左右の側部を左右のブラケット２にそれぞれ支持させ、かつ、左右のブラケット２に横架材３を架け渡し、横架材３の左右の側部を各ブラケット２にそれぞれ固着しているため、オプションユニット１の剛性を高めてその捻れを抑制することができる。
【００３６】
さらに、それら左右のブラケット２に横架材４を架け渡し、その横架材４の左右の側部の各々に設けたフック爪４１１を、左右のブラケット２の各々に形成したフック孔２４１にそれぞれ係合させることで、横架材４の両側部を各ブラケット２に着脱可能に支持させ、当該横架材４に前記補助配置部材６を支持させるようにしているため、左右方向に伸長している横架材４の任意の箇所に補助配置部材６を配置することが可能である。
【００３７】
ブラケット２の被取付板２４には、上下方向に沿って間欠的に複数のフック孔２４１を開設している。従って、取付板４１に形成したフック爪４１１を係合させるフック孔２４１を変更することを通じて、横架材４の取り付け高さ位置を上下させることができる。ひいては、オプションユニット１における補助配置部材６の高さ位置を任意に調整することができる。
【００３８】
なお、本発明は以上に詳述した実施形態に限られるものではない。例えば、左右のブラケット２に架け渡す横架材が、補助棚５の下方（かつ既存の什器７における最上段の棚７３よりも上方）に配される追加的な小棚を構成するものであることがある。具体的には、棚受に、ブラケット２の被取付板２４に形成したフック孔２４１に係合可能なフック爪を設けておき、そのフック爪をフック孔２４１に係合させることで、左右のブラケット２に棚受を取り付ける。そして、商品８を載置し得る棚部材（棚板、網棚、または複数本の棒材を隙間を隔てて配列した態様の部材）を、それら棚受に支持させることで、補助棚５の下方に小棚を設置する。あるいは、棚部材自体の左右の側部にフック爪を一体的に設けておき、そのフック爪をフック孔２４１に係合させることで、左右のブラケット２に当該棚部材を直接に支持させることも考えられる。
【００３９】
その他、各部の具体的構成は、本発明の趣旨を逸脱しない範囲で種々変形が可能である。
【産業上の利用可能性】
【００４０】
本発明は、商品を陳列するために使用される陳列用什器に適用することができる。
【符号の説明】
【００４１】
１…オプションユニット
２…ブラケット
２１２…フック爪
２４１…フック孔
３…横架材
４…横架材
４１１…フック爪
５…補助棚
６…補助配置部材（フック部材）
７…配列用什器
７２…支柱
７２１…フック孔
７３…棚
７３２…フック爪
８、９…商品
【図１】
2018027246.tif 000003
【図２】
2018027246.tif 000004
【図３】
2018027246.tif 000005
【図４】
2018027246.tif 000006
【図５】
2018027246.tif 000007
【図６】
2018027246.tif 000008